(57)【特許請求の範囲】
【請求項１】
被検眼を照明する照明光学系と、前記照明光学系で照明された被検眼を観察するための左眼用観察光学系と右眼用観察光学系を有する観察光学系と、前記観察光学系の前記左眼用観察光学系の光軸と前記右眼用観察光学系の光軸が共通して透過し、円形レンズの部分形状、又は円形レンズに切り欠き若しくは孔を設けた形状を有する対物レンズとを備えた眼科用顕微鏡本体に使用する機能拡張ユニットであって、
前記眼科用顕微鏡本体に対して着脱可能なジョイント部と、
光コヒーレンストモグラフィにより前記被検眼を検査するためのＯＣＴ光学系と、
前記ＯＣＴ光学系の信号光を前記被検眼の方向に偏向するための偏向部材を格納しており、
前記機能拡張ユニットを前記眼科用顕微鏡本体に前記ジョイント部を介して装着した場合に、前記偏向部材が前記対物レンズの光軸と交差した位置に取り付けられることを特徴とする、機能拡張ユニット。
【請求項２】
前記対物レンズが、円形レンズの部分形状、又は円形レンズに切り欠きを設けた形状を有し、
前記機能拡張ユニットを前記眼科用顕微鏡本体に前記ジョイント部を介して装着した場合に、前記対物レンズの光軸と略直交する前記ＯＣＴ光学系の信号光が前記対物レンズにおける円形レンズが存在しない方向、又はレンズに設けられた切り欠きの方向から前記偏向部材に対して入射するように取り付けられることを特徴とする、請求項１に記載の機能拡張ユニット。
【請求項３】
前記ＯＣＴ光学系の光軸が透過するＯＣＴ用対物レンズを有することを特徴とする、請求項１又は２に記載の機能拡張ユニット。
【請求項４】
前記対物レンズが、円形レンズの部分形状、又は円形レンズに切り欠きを設けた形状を有し、
前記機能拡張ユニットを前記眼科用顕微鏡本体に前記ジョイント部を介して装着した場合に、前記ＯＣＴ用対物レンズが前記偏向部材に対して前記対物レンズにおける円形レンズが存在しない方向、又はレンズに設けられた切り欠きの方向に位置するように取り付けられることを特徴とする、請求項３に記載の機能拡張ユニット。
【請求項５】
前記ＯＣＴ用対物レンズが前記ＯＣＴ光学系の光軸に沿って移動可能に構成されていることを特徴とする、請求項４に記載の機能拡張ユニット。
【請求項６】
前記被検眼の網膜を観察するために前記被検眼と前記対物レンズの間の光路上に挿脱可能な前置レンズをさらに有することを特徴とする、請求項１乃至５のいずれか１項に記載の機能拡張ユニット。
【発明の詳細な説明】
【技術分野】
【０００１】
本発明は、眼科用顕微鏡に関する。更に詳しくは、被検眼を照明する照明光学系と、照明された被検眼を観察するための観察光学系とを有する眼底カメラ、スリットランプ、眼科手術用顕微鏡等の眼科用顕微鏡に関する。本発明の眼科用顕微鏡は、光コヒーレンストモグラフィ（Optical Coherence Tomography:「ＯＣＴ」と略称される）により被検眼の断層像を得ることができるＯＣＴ光学系を有し、ＯＣＴ光学系と観察光学系とが独立できる構成となっており、観察光学系の対物レンズの下方にＯＣＴ光学系が取り付けられていることを特徴とし、これにより眼科用顕微鏡の光学設計の自由度をより高めることができる。
また、本発明は、眼科用顕微鏡に着脱可能で、ＯＣＴの機能を眼科用顕微鏡に付加することができる、機能拡張ユニットに関する。
【背景技術】
【０００２】
眼科用顕微鏡は、患者の被検眼を照明光学系により照明し、レンズ等からなる観察光学系により被検眼を拡大して観察することができる医療用又は検査用の機器である。このような眼科用顕微鏡には、ＯＣＴ光学系を有することにより、被検眼の断層像を得ることができるものが開発されている。
【０００３】
ＯＣＴとは、コヒーレンスが低い（可干渉距離が短い）光源を用いて、干渉計を構成し、これにより生体の断層像を得る技術である。具体的には、コヒーレンスが低い光源を用いて、この光をビームスプリッタで２分し、一方の光（信号光）を生体組織に照射して反射又は散乱させ、もう一方の光（参照光）をミラーで反射させる。信号光は、生体組織のいろいろな深さの位置で反射又は散乱し、無数の反射光又は散乱光が戻ってくる。ビームスプリッタに戻ってきた信号光と参照光の反射光を合流させると、参照光と同じ距離だけ経由した信号光の反射光又は散乱光のみが、参照光の反射光と干渉して検出される。したがって、ビームスプリッタとミラーとの位置を調整して参照光の経路長を様々に変更することにより、生体組織の様々な深さで反射した信号光の強さを検出できる。このようなＯＣＴ光学系により、生体組織の断層像を得ることができる。
このＯＣＴ光学系を眼科用顕微鏡に設けることにより、眼の網膜や角膜、虹彩等の断層像を得ることが可能となり、組織の表面だけでなく内部の状態も観察することが可能となった。これにより眼の疾患の診断精度を高め、また、眼科手術の成功率を高めることができる。
【０００４】
このようなＯＣＴ光学系を有する眼科用顕微鏡においては、ＯＣＴ光学系の光が被検眼に入射できるように、照明光学系と観察光学系を有する顕微鏡にＯＣＴ光学系を組み込む必要があり、様々な方式が開発されている。
例えば、観察者の左眼用観察光学系と右眼用観察光学系とからなる観察光学系を有し、左右の観察光学系の光軸が共通して透過する一つの対物レンズを有するガリレオ式の眼科用顕微鏡において、対物レンズの側方から入射したＯＣＴ光源の光を、対物レンズの直上で反射部材により反射させ、対物レンズを透過させて被検眼に入射させる方式がある（特許文献１及び２等）。
【０００５】
より詳細に説明すると、図１１（特許文献１の図１を引用した図面）に示されるように、眼科用顕微鏡は、左眼用観察光学系の光軸と右眼用観察光学系の光軸をそれぞれ透過させる左右に対となるレンズ群（１３０，１４０，１５０，１７０，１８０）からなる観察光学系と、左眼用観察光学系の光軸と右眼用観察光学系の光軸が共通して透過する一つの対物レンズ（１１０）と、ＯＣＴ光学系（２００，２５０，４５０，４６０，４７０）と、照明光学系（３１０，３２０，３３０）を有している。ＯＣＴ光学系においては、ＯＣＴ光源（２００）からの出力光が、光ファイバ（２５０）を通過して出射され、２枚の走査鏡（４５０，４６０）により方向を制御された後、ビームコンバイナ（３４０）において照明光学系からの照明光と合流して、ビームスプリッタ（１２０）で反射され、被検眼（１０００）に入射している。
【０００６】
また、ガリレオ式の眼科用顕微鏡において、対物レンズの上部からＯＣＴ光源の光を出射させ、対物レンズを透過させて被検眼に入射させる方式がある（特許文献３）。
さらに、ガリレオ式の眼科用顕微鏡において、ＯＣＴ光学系の光路を、観察光学系の光路と略同軸に合流させて、対物レンズを透過させて被検眼に入射させる方式がある（特許文献４及び５）。
【０００７】
前記の方式はいずれも、観察光学系の光軸とＯＣＴ光学系の光軸とが、共通して一つの対物レンズを透過するものであった。
【０００８】
ガリレオ式の眼科用顕微鏡において、ＯＣＴ光学系の光軸が対物レンズを透過しない方式としては、対物レンズの側方から入射したＯＣＴ光源の光を、対物レンズの直下で偏向部材により反射させて、対物レンズを透過させずに被検眼に入射させる方式がある（特許文献６）。
より詳細に説明すると、図１２（特許文献６のＦＩＧ．２Ａを引用した図面）に示されるように、観察光学系の光軸が透過する対物レンズ（１０２）の下部において、対物レンズの側方から入射したＯＣＴ光源の光をダイクロイックミラー（４００）で反射させて、被検眼にＯＣＴ光学系の光を入射させている。
【０００９】
さらに、ガリレオ式の眼科用顕微鏡において、ＯＣＴ光学系の光軸が対物レンズを透過しない方式としては、対物レンズの上方、側方、下方のそれぞれから入射したＯＣＴ光源の光を、対物レンズの上方、側方、下方で偏向部材により反射させて、対物レンズを透過させずに被検眼に入射させる方式がある（特許文献７）。
より詳細に説明すると、図１３（特許文献７の図２を引用した図面）に示されるように、このガリレオ式の眼科用顕微鏡は、顕微鏡の鏡筒部に第１光学ユニット（１６）が装着されており、観察光学系の光軸が透過する対物レンズ（１９）の下部において、対物レンズ（１９）の下部側方から入射したＯＣＴ光源の光を偏向部材（１００）で反射させて、被検眼にＯＣＴ光学系の信号光（ＬＳ）を入射させている。
これらの方式では、ＯＣＴ光源の光が対物レンズを透過せずに被検眼に入射しているが、眼科用顕微鏡本体の対物レンズの外側にＯＣＴ光学系を取り付けることになり、取り付け後の側方への張り出しが大きくなるため、眼科用顕微鏡を操作するうえで邪魔になるという問題があった。このため、光学設計の自由度を担保する観点からは、さらなる改善の余地がある。
【００１０】
また、ガリレオ式の眼科用顕微鏡と異なる方式としては、左右の観察光学系にそれぞれ対応する２つの対物レンズを有し、左右の観察光学系の間にステレオ角を持たせたグリノー式の眼科用顕微鏡がある（特許文献８及び９）。グリノー式の眼科用顕微鏡においては、左右の観察光学系の光軸が共通して透過する対物レンズが存在しないため、ＯＣＴ光学系の光路をその対物レンズを透過させることなく被検眼に入射させることができる。
しかしながら、グリノー式の眼科用顕微鏡では、左右の観察光学系を互いに傾斜させてステレオ角を持たせるため、複雑な光学設計が必要となるものであった。
【先行技術文献】
【特許文献】
【００１１】
【特許文献１】特開平８−６６４２１号公報
【特許文献２】特開２００８−２６４４８８号公報
【特許文献３】特開２００８−２６８８５２号公報
【特許文献４】特表２０１０−５２２０５５号公報
【特許文献５】特開２００８−２６４４９０号公報
【特許文献６】米国特許第８３６６２７１号明細書
【特許文献７】特開２０１５−２１１７３４号公報
【特許文献８】特開２０１６−１８５１７７号公報
【特許文献９】特開２０１６−１８５１７８号公報
【発明の概要】
【発明が解決しようとする課題】
【００１２】
前記のとおり、ＯＣＴ光学系を備える従来の眼科用顕微鏡においては、ガリレオ式の眼科用顕微鏡とグリノー式の眼科用顕微鏡があるが、グリノー式の眼科用顕微鏡は複雑な光学設計が必要となるものであった。
また、従来のガリレオ式の眼科用顕微鏡においては、特許文献１〜５等に示されるように、観察光学系の光軸とＯＣＴ光学系の光軸とが、共通して一つの対物レンズを透過する方式が数多く開発されているが、観察光学系とＯＣＴ光学系とが独立していないため、ＯＣＴ光学系と観察光学系とが互いに影響を受けて、光学設計の自由度が制限されるものであった。
【００１３】
さらに、従来のガリレオ式の眼科用顕微鏡においては、特許文献６及び７に示されるように、ＯＣＴ光源の光が対物レンズを透過しない方式も開発されているが、対物レンズ（１９）の形状は、通常のレンズ形状を有するに過ぎない。      
このため、眼科用顕微鏡本体の対物レンズの外側にＯＣＴ光学系を取り付けることになり、取り付後の側方への張り出しが大きくなるため、眼科用顕微鏡を操作するうえで邪魔になるという問題があった。
【００１４】
そこで、本発明は、前記従来の状況に鑑み、ＯＣＴ光学系を備えるガリレオ式の眼科用顕微鏡において、対物レンズの側方にＯＣＴ光学系を配置するスペースを確保することができ、光学設計の自由度を高める新しい方式の眼科用顕微鏡を開発することを目的とする。さらに、本発明は、眼科用顕微鏡本体が備えている対物レンズと被検眼との間であり、特に眼科用顕微鏡本体が備えている対物レンズ下方のスペースを確保した眼科用顕微鏡を提供することを目的とする。
【課題を解決するための手段】
【００１５】
前記課題を解決するため、本願の発明者らは鋭意研究した結果、ガリレオ式の眼科用顕微鏡において、観察光学系の光軸が透過する対物レンズをＯＣＴ光学系の光軸が透過せず、眼科用顕微鏡本体が備えている対物レンズと被検眼との間であり、特に対物レンズの下方にＯＣＴ光学系を備え、偏向部材が格納された機能拡張ユニットを配置し、対物レンズの形状を当該対物レンズの部分形状とすることにより、観察光学系とＯＣＴ光学系とが独立して、対物レンズの側方にＯＣＴ光学系を配置するスペースを確保することができ、光学設計の自由度が高まるとともにＯＣＴ光学系を着脱可能にユニット化することも可能となることを見出し、本発明を完成するに到った。
【００１６】
すなわち、本発明は、眼科用顕微鏡に関する下記の第１の発明と、機能拡張ユニットに関する下記の第２の発明を提供する。
（１）  第１の発明は、被検眼を照明する照明光学系と、前記照明光学系で照明された前記被検眼を観察するための左眼用観察光学系と右眼用観察光学系を有する観察光学系と、前記観察光学系の前記左眼用観察光学系の光軸と前記右眼用観察光学系の光軸が共通して透過する対物レンズとを備えた眼科用顕微鏡本体と、
光コヒーレンストモグラフィにより前記被検眼を検査するためのＯＣＴ光学系を備えた機能拡張ユニットと、を備えた眼科用顕微鏡であって、
前記対物レンズが、円形レンズの部分形状、又は円形レンズに切り欠き若しくは穴を設けた形状を有しており、
前記機能拡張ユニットが、前記ＯＣＴ光学系の信号光を前記被検眼の方向に偏向するための偏向部材を格納しており、
前記機能拡張ユニットは、前記眼科用顕微鏡本体が備えている前記対物レンズと前記被検眼との間に脱着可能に取り付けられていることを特徴とする、眼科用顕微鏡に関する。
（２）  第１の発明においては、前記機能拡張ユニットは、前記眼科用顕微鏡本体が備えている前記対物レンズの下方に脱着可能に取り付けられていることが好ましい。  
（３）  第１の発明においては、前記偏向部材が前記対物レンズの光軸と交差した位置に取り付けられていることが好ましい。
（４）  第１の発明においては、前記機能拡張ユニットがエイミング光を前記被検眼に照射するための可視光源ユニットを備えていることが好ましい。
（５）  前記いずれかの眼科用顕微鏡においては、前記対物レンズとは別に、前記ＯＣＴ光学系の光軸が透過するＯＣＴ用対物レンズをさらに有することが好ましい。
（６）  前記いずれかの眼科用顕微鏡においては、前記被検眼の網膜を観察するために前記被検眼と前記対物レンズの間の光路上に挿脱可能な前置レンズをさらに有することが好ましい。
（７）  第２の発明は、被検眼を照明する照明光学系と、前記照明光学系で照明された被検眼を観察するための左眼用観察光学系と右眼用観察光学系を有する観察光学系と、前記観察光学系の前記左眼用観察光学系の光軸と前記右眼用観察光学系の光軸が共通して透過する対物レンズとを備えた眼科用顕微鏡本体に使用する機能拡張ユニットであって、
前記眼科用顕微鏡本体に対して着脱可能なジョイント部と、
光コヒーレンストモグラフィにより前記被検眼を検査するためのＯＣＴ光学系と、
前記ＯＣＴ光学系の信号光を前記被検眼の方向に偏向するための偏向部材を格納しており、
前記機能拡張ユニットを前記眼科用顕微鏡本体に前記ジョイント部を介して装着した場合に、前記偏向部材が前記対物レンズの光軸と交差した位置に取り付けられることを特徴とする、機能拡張ユニットに関する。
（８）  第２の発明の機能拡張ユニットにおいては、前記ＯＣＴ光学系の光軸が透過するＯＣＴ用対物レンズを有することが好ましい。
（９）  前記いずれかの機能拡張ユニットにおいては、前記被検眼の網膜を観察するために前記被検眼と前記対物レンズの間の光路上に挿脱可能な前置レンズをさらに有することが好ましい。
【発明の効果】
【００１７】
第１の発明の眼科用顕微鏡は、眼科用顕微鏡本体が備えている対物レンズと被検眼との間であり、特に、対物レンズの下方にＯＣＴ光学系を備えた機能拡張ユニットを配置し、対物レンズとして、円形レンズの部分形状、又は円形レンズに切り欠き若しくは穴を設けた形状を有するレンズを採用している。このような構成により、本発明の眼科用顕微鏡は、観察光学系とＯＣＴ光学系とが独立したものとなっている。このため、本発明の眼科用顕微鏡においては、観察光学系とＯＣＴ光学系とが互いに影響を受けることなく、対物レンズの側方にＯＣＴ光学系を配置するスペースを確保することができる。そして、本発明の眼科用顕微鏡は、光学設計の自由度が高まるという効果を奏する。
さらに、本発明の眼科用顕微鏡では、対物レンズの下方にＯＣＴ光学系を備えた機能拡張ユニットを配置しているので、既存の眼科用顕微鏡本体に、被検眼を観察するために、最も適切なＯＣＴ光学系を備えた機能拡張ユニット採択し、顕微鏡本体に自由自在に取り付け、取り外しすることができる。
第２の発明の機能拡張ユニットは、眼科用顕微鏡本体に対して着脱可能なジョイント部と、ＯＣＴ光学系の信号光を被検眼の方向に偏向部材を有しており、ジョイント部を介して眼科用顕微鏡本体に装着した場合に、偏向部材が対物レンズの光軸と交差した位置に取り付けられる。
このような構成により、機能拡張ユニットのＯＣＴ光学系は、眼科用顕微鏡の観察光学系と独立しており、ユニット化が可能になるとともに、光学設計の自由度が高まるという効果を奏する。また、機能拡張ユニットは、ジョイント部を介して眼科用顕微鏡本体に着脱可能であるため、本発明の機能拡張ユニットは、簡便にＯＣＴの機能を眼科用顕微鏡に追加することができるという効果を奏する。
【図面の簡単な説明】
【００１８】
【図１】本発明の第１の実施形態の眼科用顕微鏡の外観を模式的に示す図面である。
【図２】本発明の第１の実施形態の眼科用顕微鏡について、光学系の構成を側面から見たものとして模式的に示す図面である。
【図３】本発明の第１の実施形態の眼科用顕微鏡について、光学系の構成を正面から見たものとして模式的に示す図面である。
【図４】本発明の第１の実施形態の眼科用顕微鏡について、機能拡張ユニットの構成を示したブロック図である。
【図５】本発明の第１の実施形態の眼科用顕微鏡で用いられるＯＣＴユニットの光学構成を模式的に示す図面である。
【図６】本発明の第１の実施形態の眼科用顕微鏡に使用される対物レンズの形状を模式的に示す図面である。図６（Ａ）は、対物レンズの光軸の方向から見た図面であり、図６（Ｂ）は、側面から見た図面である。
【図７】本発明の第２の実施形態の眼科用顕微鏡に使用される対物レンズの形状を模式的に示す図面である。図７（Ａ）は、対物レンズの光軸の方向から見た図であり、図７（Ｂ）は、側面から見た図である。
【図８】本発明の第３の実施形態の眼科用顕微鏡に使用される対物レンズの形状を模式的に示す図面である。図８（Ａ）は、対物レンズの光軸の方向から見た図であり、図８（Ｂ）は、側面から見た図である。
【図９】本発明の第４の実施形態の眼科用顕微鏡に使用される対物レンズの形状を模式的に示す図面である。図９（Ａ）は、対物レンズの光軸の方向から見た図であり、図９（Ｂ）は、側面から見た図である。
【図１０】本発明の第５の実施形態の眼科用顕微鏡に使用される対物レンズの形状を模式的に示す図面である。図１０（Ａ）は、対物レンズの光軸の方向から見た図であり、図１０（Ｂ）は、側面から見た図である。
【図１１】特許文献１の図１を引用した図面である。
【図１２】特許文献６のＦＩＧ．２Ａを引用した図面である。
【図１３】特許文献７の図２を引用した図面である。
【発明を実施するための形態】
【００１９】
１．  眼科用顕微鏡
１−１．  本発明の眼科用顕微鏡の概要
本発明の眼科用顕微鏡は、被検眼を照明する照明光学系と、照明光学系で照明された被検眼を観察するための左眼用観察光学系と右眼用観察光学系を有する観察光学系と、観察光学系の左眼用観察光学系の光軸と右眼用観察光学系の光軸が共通して透過する対物レンズと、光コヒーレンストモグラフィにより被検眼を検査するためのＯＣＴ光学系を備えた機能拡張ユニットを備えた眼科用顕微鏡に関するものである。
【００２０】
本発明の眼科用顕微鏡は、対物レンズが、円形レンズの部分形状、又は円形レンズに切り欠き若しくは穴を設けた形状を有しており、機能拡張ユニットが、ＯＣＴ光学系の信号光を被検眼の方向に偏向するための偏向部材を格納しており、機能拡張ユニットは、前記眼科用顕微鏡本体が備えている対物レンズと被検眼との間であり、特に前記眼科用顕微鏡本体に対して、前記対物レンズの下方に脱着可能に取り付けられている。このような構成により、本発明の眼科用顕微鏡では、ＯＣＴ光学系の信号光が対物レンズと被検眼との間であり、特に、対物レンズの下方において偏向部材により偏向して被検眼に入射することにより、ＯＣＴ光学系の信号光が対物レンズを透過せず、観察光学系とＯＣＴ光学系とが独立したものとなっている。
このため、本発明の眼科用顕微鏡においては、観察光学系とＯＣＴ光学系とが互いに影響を受けることなく光学設計を行うことができ、対物レンズの側方にＯＣＴ光学系を配置するスペースを確保することができるため、本発明の眼科用顕微鏡は、光学設計の自由度が高まるという効果を奏する。
さらに、本発明の眼科用顕微鏡では、前記眼科用顕微鏡本体が備えている対物レンズと被検眼との間であり、特に、対物レンズの下方にＯＣＴ光学系を備えた機能拡張ユニットを配置しているので、既存の眼科用顕微鏡本体に、被検眼を観察するために、最も適切なＯＣＴ光学系を備えた機能拡張ユニットを採択し、眼科用顕微鏡本体に取り付けることができるという効果を奏する。
例えば、これらに限定されるわけではないが、観察光学系の対物レンズの他に、ＯＣＴ光学系にもＯＣＴ用対物レンズを設けた機能拡張ユニットを採用し、それぞれの対物レンズを独立して位置制御することにより、観察光学系の焦点とＯＣＴ光学系の焦点を、独立して調整する光学設計が可能となる。また、ＯＣＴ光学系を観察光学系と分離して、ＯＣＴ光学系を眼科用顕微鏡に着脱可能なユニットとする光学設計も可能となる。さらに、眼科用顕微鏡に一つだけでなく複数のＯＣＴ光学系を付け加えて、より詳細に三次元の断層像を得ることができる光学設計も可能となる。
また、本発明の眼科用顕微鏡では、エイミング光を被検眼に照射するための可視光源ユニットを備えている機能拡張ユニットを採用し、術者が接眼部から眼を離すことなくＯＣＴ計測用の信号光の走査位置を識別可能とすることができる光学設計も可能となる。
【００２１】
本発明において「眼科用顕微鏡」とは、被検眼を拡大して観察することができる医療用又は検査用の機器をいい、ヒト用のみならず動物用のものも含む。「眼科用顕微鏡」には、これらに限定されるわけではないが、例えば、眼底カメラ、スリットランプ、眼科手術用顕微鏡等が含まれる。
【００２２】
本発明において、「照明光学系」とは、被検眼を照明するための光学素子を含んで構成されるものである。照明光学系には、さらに光源を含ませることができるが、自然光を被検眼に導くものであってもよい。
また、本発明において、「観察光学系」とは、照明光学系によって照明された被検眼から反射・散乱された戻り光により、被検眼を観察することを可能とする光学素子を含んで構成されるものである。本発明において、観察光学系は、左眼用観察光学系と右眼用観察光学系を有しており、左右の観察光学系により得られる像に視差を生じさせた場合には、双眼視により立体的に観察することも可能となる。
また、本発明の「観察光学系」は、接眼レンズ等を通じて観察者が直接被検眼を観察できるものであってもよく、また、撮像素子等により受光して画像化することにより観察できるものであってもよく、あるいは、両方の機能を備えるものであってもよい。
【００２３】
本発明において、「ＯＣＴ光学系」とは、ＯＣＴの信号光又は参照光を経由させる光学素子を含んで構成されるものである。ＯＣＴ光学系には、さらにＯＣＴ光源を含ませることができる。
本発明において、「照明光学系」、「観察光学系」、「ＯＣＴ光学系」に使用される光学素子としては、これらに限定されるわけではないが、例えば、レンズ、プリズム、ミラー、光フィルタ、絞り、回折格子、偏光素子等を用いることができる。
【００２４】
本発明において、「対物レンズ」とは、眼科用顕微鏡において、被検眼の側に設けられたレンズをいう。なお、対物レンズと被検眼の間に一時的に挿入して使用する前置レンズ（ルーペ）は、本発明でいう「対物レンズ」には含まれない。
【００２５】
１−２．第１の実施形態
以下、本発明の実施形態の例を、図面を参照しながら詳細に説明する。図１は、本発明の眼科用顕微鏡の一例である第１の実施形態を模式的に示す図面である。
図１は、第１の実施形態の眼科用顕微鏡の外観を示す模式図である。図１に示されるように、実施形態１の眼科用顕微鏡（１）は、対物レンズ（２）を備えた眼科用顕微鏡本体（６）と機能拡張ユニット（７）とを備えている。顕微鏡本体（６）は、脚部（３）、支柱（４）、第１アーム部（５１）、第２アーム部（５２）、及びＸ−Ｙ微動装置（１１）によって位置を制御することができる。移動可能な脚部（３）に支持された支柱（４）には、前方に屈曲した第１アーム部（５１）が係合しており、第１アーム（５１）には、眼科用顕微鏡本体（６）を吊り下げて固定する第２アーム（５２）が連結している。第２アーム（５２）を上下させることにより、眼科用顕微鏡本体（６）の高さを制御することができる。また、第２アーム（５２）と眼科用顕微鏡本体（６）との間には、Ｘ−Ｙ微動装置（１１）があり、眼科用顕微鏡本体（６）の平面方向の位置を微調整することができる。
【００２６】
眼科用顕微鏡本体（６）は、左右の接眼部（１２）を有しており、当該接眼部（１２）により、被検眼（８）を直接観察することができる。接眼部（１２）の上方には、ＯＣＴ光学系により得られた画像を表示するモニタである表示部（２０）が設置されている。表示部（２０）は接眼内に配置され、観察像と重畳して表示されても良い。また、接眼部（１２）は、インバータ（１３）と連結している。インバータ（１３）は、眼科用顕微鏡本体（６）を構成する鏡筒部（１４）と連結している。鏡筒部（１４）の底面には、対物レンズ（２）が組み込まれている。筒鏡部（１４）の側面には、助手用顕微鏡（１５）が設置されている。助手用顕微鏡（１５）は、鏡筒部（１４）と垂直に交差する鏡筒部（１４）を有し、眼科用顕微鏡本体（６）の接眼部（１２）と異なる方向に、接眼部（１２）とは、別個に接眼部を有している。
【００２７】
筒鏡部（１４）の側面には、前置レンズ位置調整機構（１６）が取り付けられている。前置レンズ位置調整機構（１６）は、被検眼（８）に向かって延伸する保持アーム（１７）を有している。保持アーム（１７）の先端には、前置レンズ（１８）が取り付けられている。保持アーム（１７）は上下方向に移動することができる。保持アーム（１７）が上下方向に移動することによって、前置レンズ（１８）と被検眼（８）との距離を適宜変更することができる。また、回動することにより、前置レンズ（１８）を対物レンズ（２）の光軸に対して挿脱を可能とする。眼科用顕微鏡本体（６）の位置制御、及び前置レンズ（１８）の位置制御は、術者の足元に設置されているフットスイッチ（１９）を操作することによって行うことができる。
【００２８】
図２〜図６は、本発明の眼科用顕微鏡の一例である第１の実施形態を模式的に示す図面である。
図２は、第１の実施形態の眼科用顕微鏡の光学系の構成を、側面から見たものとして示す模式図であり、図３は、正面から見たものとして示す模式図である。また、図４は、第１の実施形態の眼科用顕微鏡において用いられる機能拡張ユニットの構成例のブロック図であり、図５は、ＯＣＴユニットの光学構成を模式的に示す図面である。さらに、図６は、対物レンズの形状を模式的に示す図面である。
【００２９】
図２に示されるように、眼科用顕微鏡（１）の光学系は、対物レンズ（２）と、照明光学系（３００）と、観察光学系（４００）と、ＯＣＴ光学系（５００）を有している。
対物レンズ（２）と、照明光学系（３００）と、観察光学系（４００）は、眼科用顕微鏡本体（６）に収納されている。一方、ＯＣＴ光学系（５００）は、機能拡張ユニット（７）に収納されている。対物レンズ（２）は、円形レンズの部分形状を有している。図２においては、眼科用顕微鏡本体（６）と機能拡張ユニット（７）を、それぞれ一点鎖線により示す。
図２に示されるように、眼科用顕微鏡（１）は、眼科用顕微鏡本体（６）と機能拡張ユニット（７）を備えている。機能拡張ユニット（７）は、眼科用顕微鏡本体（６）が備えている対物レンズ（２）被検眼との間であり、対物レンズ（２）の下方に配置されている。眼科用顕微鏡本体（６）と機能拡張ユニット（７）とは、図示しないジョイント部により、着脱可能に連結されている。
なお、本発明の眼科用顕微鏡（１）が眼底カメラ、スリットランプの場合には、機能拡張ユニット（７）は、眼科用顕微鏡本体（６）が備えている対物レンズ（２）被検眼（８）との間に配置されていればよい。以下、機能拡張ユニット（７）が、眼科用顕微鏡本体（６）が備えている対物レンズ（２）の下方に配置されている場合を中心に説明する。
【００３０】
図２に示されるように、照明光学系（３００）は、対物レンズ（２）を介して、被検眼（８）を照明する。照明光学系（３００）は、照明光源（９）、光ファイバ（３０１）、出射口絞り（３０２）、コンデンサレンズ（３０３）、照明野絞り（３０４）、コリメートレンズ（３０５）、及び反射ミラー（３０６）を含んで構成されている。照明光学系（３００）の光軸を、図２において点線（Ｏ−３００）で示す。
【００３１】
照明光源（９）は、眼科用顕微鏡本体（６）の外部に設けられている。照明光源（９）には光ファイバ（３０１）の一端が接続されている。光ファイバの他端は、眼科用顕微鏡本体（６）の内部のコンデンサレンズ（３０３）に臨む位置に配置されている。照明光源（９）から出力された照明光は、光ファイバ（３０１）により導光されてコンデンサレンズ（３０３）に入射する。
光ファイバ（３０１）の出射口（コンデンサレンズ（３０３）側のファイバ端）に臨む位置には、出射口絞り（３０２）が設けられている。出射口絞り（３０２）は、光ファイバ（３０１）の出射口の一部領域を遮断するように作用する。出射口絞り（３０２）による遮断領域が変更されると、照明光の出射領域が変更される。それにより、照明光による照射角度、つまり被検眼（８）に対する照明光の入射方向と対物レンズ（２）の光軸とがなす角度を変更することができる。
【００３２】
照明野絞り（３０４）は、対物レンズ（２）の前側焦点位置（Ｕ０）と光学的に共役な位置（×の位置）に設けられている。コリメートレンズ（３０５）は、照明野絞り（３０４）を通過した照明光を平行光束にする。反射ミラー（３０６）は、コリメートレンズ（３０５）によって平行光束にされた照明光を対物レンズ（２）に向けて反射する。反射された光は、対物レンズ（２）を透過して、被検眼（８）に照射される。
被検眼（８）に照射された照明光（の一部）は、角膜や網膜等の被検眼の組織で反射・散乱される。その反射・散乱した戻り光（「観察光」とも呼ばれる）は、対物レンズ（２）を透過して、観察光学系（４００）に入射する。
【００３３】
図２に示されるように、観察光学系（４００）は、変倍レンズ系（４０１）、ビームスプリッタ（４０２）、結像レンズ（４０３）、像正立プリズム（４０４）、眼幅調整プリズム（４０５）、視野絞り（４０６）、及び接眼レンズ（４０７）を含んで構成されている。観察光学系（４００）の光軸を、図２において点線（Ｏ−４００）で示す。
観察光学系（４００）は、照明光学系（３００）により照明されている被検眼（８）を、対物レンズ（２）を介して観察するために用いられる。
【００３４】
図２に示されるように、ＯＣＴ光学系（５００）は、ＯＣＴユニット（１０）、光ファイバ（５０１）、ファイバカプラ（７１９）、光ファイバ（７２５）、コリメートレンズ（７２６）、照明野絞り（７２７）、光スキャナ（５０３ａ，５０３ｂ）、リレー光学系（５０４）、第１レンズ群（５０５）、第２レンズ群（５０６）、及びＯＣＴ用対物レンズ（５０７）、偏向部材（５０８）を含んで構成されている。偏向部材（５０８）は、被検眼（８）のＯＣＴ画像を取得するために必要なＯＣＴ計測用の信号光を被検眼（８）の方向に偏向するための部材である。
【００３５】
本発明の眼科用顕微鏡（１）は、眼科用顕微鏡本体（６）が備えている対物レンズ（２）と被検眼（８）との間であり、対物レンズ（２）の下方に機能拡張ユニット（７）を備えている。このため、機能拡張ユニット（７）においては、対物レンズ（２）の側方から出射したＯＣＴ計測用の信号光を、対物レンズ（２）の直下又は周辺において被検眼（８）の方向に偏向させる必要がある。
【００３６】
すなわち、対物レンズ（２）の下方に機能拡張ユニット（７）が設置されているため、ＯＣＴの信号光は、対物レンズ（２）を透過することなく被検眼（８）に入射する必要がある。しかしながら、対物レンズ（２）と被検眼（８）の間には作業スペースを確保する必要性があることから、対物レンズ（２）の直下にＯＣＴ光学系の全ての光学素子を設けることは難しい。したがって、対物レンズ（２）の側方からＯＣＴの信号光を出射させて、対物レンズ（２）の直下又は周辺において、信号光を被検眼（８）の方向に偏向させる必要がある。  
このため、本発明の眼科用顕微鏡（１）は、対物レンズ（２）と被検眼（８）との間に偏向部材（５０８）を設け、対物レンズ（２）の光軸Ｏと略直交するＯＣＴ計測用の信号光を、対物レンズ（２）の直下又は周辺において偏向することによって、被検眼（８）に照射できるようにしている。図２に示されるように、偏向部材（５０８）は、対物レンズ（２）の光軸Ｏと略直交するＯＣＴ計測用の信号光を偏向するために一定の傾きを有している。
【００３７】
図２において、ＯＣＴ光学系（５００）の光軸を点線（Ｏ−５００）で示す。ＯＣＴ光学系（５００）の光軸（Ｏ−５００）は、偏向部材（５０８）によって、被検眼（８）の方向に偏向されている。図２に示されるように、第１の実施形態においては、ＯＣＴ光学系（５００）を備えている機能拡張ユニット（７）は、眼科用顕微鏡本体（６）が備えている対物レンズ（２）の下方に配置され、対物レンズ（２）が、円形レンズの部分形状を有している。
このため、ＯＣＴ光学系の光軸（Ｏ−５００）が対物レンズ（２）を透過することがなく、ＯＣＴ光学系と観察光学系とが独立したものとなっている。
さらに、対物レンズ（２）においては、ＯＣＴ光学系の光軸（Ｏ−５００）が透過する部分が必要なくなることから、当該部分を切断して除くことにより、対物レンズ（２）を円形レンズの部分形状とすることができる。これにより、対物レンズ（２）の側方にも、ＯＣＴ光学系等を配置するスペースを確保することが可能となる。
【００３８】
図２に示されるように、ＯＣＴ光学系（５００）は、ＯＣＴユニット（１０）を備えている。ＯＣＴユニット（１０）は、コヒーレンスが低い（可干渉距離が短い）ＯＣＴ光源から光を信号光と参照光に分割する。信号光は、ＯＣＴ光学系（５００）により導かれて被検眼（８）に照射され、被検眼（８）の組織において反射・散乱し、それが戻り光となってＯＣＴユニット（１０）に導かれる。ＯＣＴユニット（１０）では、信号光の戻り光と参照光との干渉を検出する。これにより、被検眼（８）の組織の断層像を得ることができる。
【００３９】
図２に示されるように、ＯＣＴ光学系（５００）は、ＯＣＴユニット（１０）を機能拡張ユニット（７）の外部に設けているが、これに限定されない。ＯＣＴ光学系（５００）は、ＯＣＴユニット（１０）を機能拡張ユニット（７）の内部に設けてもよい。ＯＣＴユニット（１０）を機能拡張ユニット（７）の内部に設ける場合には、後述するように、ＯＣＴユニット（１０）を含み、機能拡張ユニット（７）に換えて、機能拡張ユニット（７）を分離型の第１機能拡張ユニット（７１）と第２機能拡張ユニット（７２）からなる機能拡張ユニットとして設けてもよい。
【００４０】
図２に示されるように、ＯＣＴ光学系（５００）は、ＯＣＴユニット（１０）を機能拡張ユニット（７）の外部に設けている。ＯＣＴユニット（１０）には、光ファイバ（５０１）の一端が接続されており、これにより、ＯＣＴユニット（１０）が機能拡張ユニット（７）と連結している。ＯＣＴユニット（１０）により生成された信号光は、光ファイバ（５０１）を経由して、ファイバカプラ（７１９）に導かれ、ファイバカプラ（７１９）に接続した光ファイバ（７２５）の一端から出射する。光ファイバ（７２５）の一端から出射した信号光は、コリメートレンズ（７２６）、照明野絞り（７２７）、光スキャナ（５０３ａ，５０３ｂ）、リレー光学系（５０４）、第１レンズ群（５０５）、第２レンズ群（５０６）、偏向部材（５０８）、ＯＣＴ用対物レンズ（５０７）等を経由して被検眼（８）に照射され、被検眼（８）の組織で反射・散乱した信号光の戻り光は、同じ経路を逆向きに進行して光ファイバ（５０１）を経由してＯＣＴユニット（１０）に戻る。
【００４１】
ＯＣＴ光学系（５００）において、偏向部材（５０８）は、対物レンズ（２）の下方において、ＯＣＴ計測用の信号光が被検眼（８）に照射されるように配置されている。偏向部材（５０８）は、対物レンズ（２）の光軸Ｏと略直交するＯＣＴ計測用の信号光を被検眼（８）の上方において偏向させる。偏向部材（５０８）としては、ミラーやプリズム等を例示することができる。偏向部材（５０８）の大きさは、機能拡張ユニット（７）の仕様によって、適宜設定することができ、ＯＣＴ光源からのＯＣＴ計測用の信号光を被検眼（８）に照射することができるものであれば、特に制限されるものではない。
【００４２】
なお、眼科用顕微鏡（１）を用いて、眼底の網膜を観察するときは、図示しない移動手段により、前置レンズ（１８）が被検眼の眼前の光軸Ｏ−３００、Ｏ−４００、Ｏ−５００上に挿入される。この場合には、対物レンズ（２）の前側焦点位置（Ｕ０）は、眼底の網膜と共役となる。また、角膜、虹彩等の前眼部を観察するときには、前置レンズ（１８）を被検眼（８）の眼前から脱離させて観察を行う。
【００４３】
図２に示されるように、コリメートレンズ（７２６）は、光ファイバ（７２５）の一端から出射した信号光を平行光束にする。コリメートレンズ（７２６）と光ファイバ（７２５）の一端とは信号光の光軸に沿って相対的に移動可能に構成されている。第１の実施形態では、コリメートレンズ（７２６）が移動可能に構成されているが、光ファイバ（７２５）の一端が測定光の光軸に沿って移動可能に構成されていてもよい。
照明野絞り（７２７）は、対物レンズ（２）の前側焦点位置（Ｕ０）と共役である。
図２に示されるように、眼科用顕微鏡（１）は、可視光源ユニット（７２３）を機能拡張ユニット（７）の外部に設けている。可視光源ユニット（７２３）には、光ファイバ（７２４）の一端が接続されており、これにより、可視光源ユニット（７２３）が機能拡張ユニット（７）と連結している。可視光源ユニット（７２３）により生成された可視光（後述するエイミング光）は、光ファイバ（７２４）を経由して、ファイバカプラ（７１９）に導かれ、ファイバカプラ（７１９）においてＯＣＴの信号光と合成される。ファイバカプラ（７１９）から出射後にダイクロイックミラー等で合成しても良い。ＯＣＴの信号光と合成されたエイミング光は、ＯＣＴの信号光と同じ経路により被検眼（８）に照射される。被検眼（８）で反射されたエイミング光は、観察光学系（４００）を経由して術者により観察される。
【００４４】
光スキャナ（５０３ａ，５０３ｂ）は、コリメートレンズ（７２６）により平行光束とされたＯＣＴ計測用の信号光及び可視光（エイミング光）を２次元的に偏向する。光スキャナ（５０３ａ，５０３ｂ）には、違いに交差する２軸のそれぞれの軸を中心に回動可能に構成された偏向部材が用いられる。偏向部材の例として、ガルバノミラー、ポリゴンミラー、回転ミラー、ＭＥＭＳ（Micro Electro Mechanical Systems）ミラー等がある。第１の実施形態では、光スキャナ（５０３ａ，５０３ｂ）は、ガルバノミラーを含んで構成されている。すなわち、光スキャナ（５０３）は、第１軸を中心に回動可能な偏向面を有する第１スキャナ（５０３ａ）と、第１軸に直交する第２軸を中心に回動可能な偏向面を有する第２スキャナ（５０３ｂ）を含む。第１スキャナ（５０３ａ）と第２スキャナ（５０３ｂ）との間には、リレー光学系（５０４）が設けられている。
【００４５】
第１レンズ群（５０５）は、１以上のレンズを含んで構成される。第２レンズ群（５０６）も、１以上のレンズを含んで構成される。
さらに、第２レンズ群（５０６）と偏向部材（５０８）との間には、ＯＣＴ用対物レンズ（５０７）が設けられていてもよい。
ＯＣＴ用対物レンズ（５０７）は、光軸Ｏ−５００に沿って移動可能に構成されており、ＯＣＴ用対物レンズ（５０７）の位置を制御することにより、ＯＣＴ光学系の焦点を調整することができる。これにより、ＯＣＴ光学系の焦点を観察光学系の焦点とは異なる位置に調整することが可能となる。
【００４６】
第１の実施形態の眼科用顕微鏡では、機能拡張ユニット（７）が眼科用顕微鏡本体（６）の対物レンズ（２）の下方に配置され、眼科用顕微鏡本体（６）の対物レンズ（２）が円形レンズの部分形状を有している。このため、第１の実施形態の眼科用顕微鏡では、観察光学系（３００）とＯＣＴ光学系（５００）とを独立して制御することが可能であり、また、ＯＣＴ光学系（５００）を備えた機能拡張ユニット（７）を眼科用顕微鏡本体（６）に対して着脱可能なユニットとすることも可能である。
【００４７】
さらに、本発明の眼科用顕微鏡（１）では、対物レンズ（２）の下方にＯＣＴ光学系を備えた機能拡張ユニット（７）を配置しているので、既存の眼科用顕微鏡本体（６）に、被検眼の網膜等を観察するために、最も適切なＯＣＴ光学系を備えた機能拡張ユニット（７）を採択し、眼科用顕微鏡本体（６）に取り付けた眼科用顕微鏡（１）とすることも可能である。また、眼科用顕微鏡本体（６）に被検眼の底部等を観察するために最も適切なＯＣＴ光学系を備えた機能拡張ユニット（７）を取り付けた眼科用顕微鏡（１）から上記機能拡張ユニット（７）を取り外すこともできる。
【００４８】
第１の実施形態の眼科用顕微鏡（１）について、さらに図面を参照して詳細に説明する。
図３は、第１の実施形態の眼科用顕微鏡（１）の光学系の構成を、正面から見たものとして示す模式図である。
図３に示されるように、観察光学系（４００）は、観察者の左眼用の観察光学系（４００Ｌ）と右眼用の観察光学系（４００Ｒ）に分かれており、それぞれに観察光路を有している。左右の観察光学系の光軸を、図３においてそれぞれ点線（Ｏ−４００Ｌ，Ｏ−４００Ｒ）で示す。
【００４９】
図３に示されるように、左右の観察光学系（４００Ｌ，４００Ｒ）は、それぞれ、変倍レンズ系（４０１）、結像レンズ（４０３）、像正立プリズム（４０４）、眼幅調整プリズム（４０５）、視野絞り（４０６）、及び接眼レンズ（４０７）を含んで構成されている。ビームスプリッタ（４０２）は、右眼用の観察光学系（４００Ｒ）のみが有している。
変倍レンズ系（４０１）は、複数のズームレンズ（４０１ａ，４０１ｂ，４０１ｃ）を含んで構成されている。各ズームレンズ（４０１ａ，４０１ｂ，４０１ｃ）は、図示しない変倍機構によって左右の観察光学系の光軸（Ｏ−４００Ｌ，Ｏ−４００Ｒ）に沿って移動可能となっている。これにより、被検眼（８）を観察又は撮影する際の拡大倍率が変更される。
【００５０】
図３に示されるように、右眼用の観察光学系（４００Ｒ）のビームスプリッタ（４０２）は、被検眼（８）から右眼用観察光学系に沿って導光された観察光の一部を分離して撮影光学系に導く。撮影光学系は、結像レンズ（１１０１）、反射ミラー（１１０２）、及びテレビカメラ（１１０３）を含んで構成されている。
テレビカメラ（１１０３）は、撮像素子（１１０３ａ）を備えている。撮像素子（１１０３ａ）は、例えば、ＣＣＤ（Charge Coupled Devices）イメージセンサや、ＣＭＯＳ（Complementary Metal Oxide Semiconductor）イメージセンサ等によって構成される。撮像素子（１１０３ａ）としては２次元の受光面を有するもの（エリアセンサ）が用いられる。
撮像素子（１１０３ａ）の受光面は、対物レンズ（２）の前側焦点位置（Ｕ０）と共役な位置に配置される。
ビームスプリッタ（４０２）からテレビカメラ（１１０３）までの撮像系は左側の光学系に（双方）にあっても良い。左右２個のカメラの画像を用いることによって、接眼レンズによる観察と同様に立体的な画像を得ることができる。
【００５１】
像正立プリズム（４０４）は、倒像を正立像に変換する。眼幅調整プリズム（４０５）は、観察者の眼幅（左眼と右眼の間の距離）に応じて左右の観察光路の間の距離を調整するための光学素子である。視野絞り（４０６）は、観察光の断面における周辺領域を遮断して観察者の視野を制限するものである。視野絞り（４０６）は、対物レンズ（２）の前側焦点位置（Ｕ０）と共役な位置（×の位置）に設けられている。
観察光学系（４００Ｌ，４００Ｒ）は、観察光学系の光路から挿脱可能に構成されたステレオバリエータを含んで構成されてもよい。ステレオバリエータは、左右の変倍レンズ系（４０１）によってそれぞれ案内される左右の観察光学系の光軸（Ｏ−４００Ｌ，Ｏ−４００Ｒ）の相対的位置を変更するための光軸位置変更素子である。ステレオバリエータは、例えば、観察光路に対して観察者側に設けられた退避位置に退避される。
【００５２】
第１の実施形態の眼科用顕微鏡においては、主となる観察者が使用する観察光学系の他に、助手となる観察者が使用するための副観察光学系（４００Ｓ）が設けられている。
図３に示されるように、副観察光学系（４００Ｓ）は、照明光学系により照明されている被検眼（８）で反射・散乱した戻り光（観察光）を、対物レンズ（２）を経由して助手用接眼レンズ（４１１）に導く。副観察光学系の光軸を、図２において点線（Ｏ−４００Ｓ）で示す。
副観察光学系（４００Ｓ）にも左右一対の光学系が設けられており、双眼による立体観察が可能である。
【００５３】
図３に示されるように、副観察光学系（４００Ｓ）は、プリズム（４０８）、反射ミラー（４１０）、及び助手用接眼レンズ（４１１）を含んで構成される。第１の実施形態においては、プリズム（４０８）と反射ミラー（４１０）との間に、さらに結像レンズ（４０９）も配置されている。被検眼（８）からの観察光は、対物レンズ（２）を透過し、プリズム（４０８）の反射面（４０８ａ）により反射される。反射面（４０８ａ）により反射された観察光は、結像レンズ（４０９）を透過し、反射ミラー（４１０）により反射され、助手用接眼レンズ（４１１）に導かれる。
観察光学系（４００Ｌ，４００Ｒ）と副観察光学系（４００Ｓ）は、眼科用顕微鏡本体（６）に収納されている。
【００５４】
図３に示されるように、本発明の眼科用顕微鏡（１）は、観察光学系（４００）を収納する眼科用顕微鏡本体（６）が備えている対物レンズ（２）と被検眼との間であり、対物レンズ（２）の下方に機能拡張ユニット（７）を備えている。第１機能拡張ユニット（７）が備えている偏向部材（５０８）は、観察光学系の光軸（Ｏ−４００）を構成する左眼用の光軸（Ｏ−４００Ｌ）及び右眼用の光軸（Ｏ−４００Ｒ）を通過しないように配置され、かつ、対物レンズ（２）の光軸Ｏと交差した位置に取り付けられている。偏向部材（５０８）が対物レンズ（２）の光軸Ｏと交差した位置に取り付けられることによって、ＯＣＴ計測用の信号光が被検眼（８）に対して、ほぼ垂直に出射される。これにより、ＯＣＴ光学系の光軸と観察光学系の光軸との角度差が小さくなり、ＯＣＴにより得られる断層像と、観察光学系により得られる観察像との位置ズレを小さくすることができる。
なお、偏向部材（５０８）を対物レンズ（２）の光軸Ｏと交差しない位置に取り付けることも可能である。偏向部材（５０８）を対物レンズ（２）の光軸Ｏと交差しない位置に取り付けた場合には、ＯＣＴ計測用の信号光が被検眼（８）に対して、斜めから出射されることになる。
【００５５】
偏向部材（５０８）は、観察光学系の光軸（Ｏ−４００）を構成する左眼用の光軸（Ｏ−４００Ｌ）及び右眼用の光軸（Ｏ−４００Ｒ）を通過しないように配置されることが好ましい。偏向部材（５０８）が、観察光学系の光軸（Ｏ−４００）を構成する左眼用の光軸（Ｏ−４００Ｌ）及び右眼用の光軸（Ｏ−４００Ｒ）を通過しないように配置されることにより、観察光学系の観察光の減衰による接眼観察像及び撮影画像の明るさが減少することを回避することができる。
一方、偏向部材（５０８）が、観察光学系の光軸（Ｏ−４００）を構成する左眼用の光軸（Ｏ−４００Ｌ）及び右眼用の光軸（Ｏ−４００Ｒ）を通過するように配置されていてもよい。この配置の場合には、観察光の一部も偏向部材（５０８）により反射されるため、観察光学系の観察光が減衰する。
【００５６】
図３に示されるように、偏向部材（５０８）の形状は、必要なスキャン範囲を確保し、かつ観察光学系の光軸（Ｏ−４００）を構成する左眼用の光軸（Ｏ−４００Ｌ）及び右眼用の光軸（Ｏ−４００Ｒ）が偏向部材（５０８）を通過しない形状であれば、特に制限されるものではない。例えば、左眼用の光軸（Ｏ−４００Ｌ）及び右眼用の光軸（Ｏ−４００Ｒ）の間隔を上辺とし、被検眼（８）の方向に向かって狭小している左眼用の光軸（Ｏ−４００Ｌ）及び右眼用の光軸（Ｏ−４００Ｒ）の間隔を下辺とする台形形状であってもよい。
なお、偏向部材（５０８）は、対物レンズ（２）の光軸Ｏと略直交するＯＣＴ計測用の信号光を偏向するために一定の傾きを有している。
【００５７】
図４は、第１の実施形態の眼科用顕微鏡（１）において用いられる機能拡張ユニット（７）の構成例のブロック図である。機能拡張ユニット（７）は、ＯＣＴ光学系（５００）を構築する。機能拡張ユニット（７）は、眼科用顕微鏡本体（６）に対して着脱可能に構成されている。
すなわち、機能拡張ユニット（７）は、既存の眼科用顕微鏡本体（６）に対して着脱可能なユニットであり、眼科用顕微鏡本体（６）が有する既存の機能を活かしながら、さらに眼科用顕微鏡本体（６）に、種々のＯＣＴ機能を追加することができる。機能拡張ユニット（７）は、ＯＣＴ光学系（５００）を含んでおり、眼科用顕微鏡本体（６）に取り付けられることにより、被検眼（８）のＯＣＴ画像の取得が可能となる。
【００５８】
本発明の眼科用顕微鏡（１）においては、機能拡張ユニット（７）を第１機能拡張ユニット（７１）と第２拡張ユニット（７２）とを別個に分けて、設置することができる。
具体的には、機能拡張ユニット（７）は、少なくとも、偏向部材（５０８）、走査部（７１７）等を備えた第１機能拡張ユニット（７１）と、少なくとも、ＯＣＴユニット（１０）、可視光線ユニット（７２３）等を備えた第２機能拡張ユニット（７２）から構成されていてもよい。
以下、第１機能拡張ユニット（７１）、第２機能拡張ユニット（７２）について、説明する。
【００５９】
図４に示されるように、第１機能拡張ユニット（７１）は、偏向部材（５０８）、フォーカスレンズとして機能するＯＣＴ用対物レンズ（５０７）、ビームスプリッタ（７１２）、フィルタ（７１３）と結像レンズ（７１４）、ＣＣＤイメージセンサ（７１５）、演算制御部（７１６）、走査部（７１７）、走査制御部（７１８）、合成部（７１９）を備えている。第２機能拡張ユニット（７２）は、ＯＣＴユニット（１０）、演算制御ユニット（７２２）、可視光源ユニット（７２３）を備えている。なお、合成部（７１９）としては、ファイバカプラ（７１９）やダイクロイックミラー等を用いることができる。
【００６０】
ＯＣＴ光学系（５００）において、ＯＣＴ計測用の信号光は、第１機能拡張ユニット（７１）が備えている合成部（７１９）から出力される。合成部（７１９）は、第２機能拡張ユニット（７２）が備えているＯＣＴユニット（１０）に接続されている。また、合成部（７１９）は、第２機能拡張ユニット（７２）が備えている可視光源ユニット（７２３）に接続されている。ＯＣＴユニット（１０）により生成されたＯＣＴ計測用の信号光と、可視光源ユニット（７２３）により生成されたエイミング光は、合成部（７１９）に導かれる。
【００６１】
合成部（７１９）は、ＯＣＴ計測用の信号光とエイミング光とを合成する。第２機能拡張ユニット（７２）が備えているＯＣＴユニット（１０）は、中心波長が約１０５０ｎｍであるＯＣＴ計測用の信号光を出力する。可視光源ユニット（７２３）は、中心波長が約６３３ｎｍである可視光を含むエイミング光を出力する。ＯＣＴユニット（１０）から出力されたＯＣＴ計測用の信号光と、可視光源ユニット（７２３）から出力されたエイミング光は、第１機能拡張ユニット（７１）が備えている合成部（７１９）に導かれる。合成部（７１９）は、ＯＣＴ計測用の信号光とエイミング光とを合成する。合成部（７１９）により合成された信号は、コリメータによって平行光束とされ、走査部（７１７）に出力される。
【００６２】
エイミング光を被検眼（８）に照射することによって、術者が接眼部から眼を離すことなく、ＯＣＴ計測用の信号光の走査位置を識別することできる。エイミング光を被検眼（８）に投射しつつ、可視光を用いて撮影された画像を取得することにより、ＯＣＴ計測用の信号光の走査位置を表示画像によって確認することもできる。なお、エイミング光は、赤外光等の不可視光であってもよい。エイミング光として、不可視光を用いることができる場合は、エイミング光を接眼部を介して観察しない場合である。エイミング光を不可視光とすることで被検眼がエイミング光に追従して動いてしまうことを防ぐことが可能となる。
【００６３】
第１機能拡張ユニット（７１）が備えている走査部（７１７）は、ＯＣＴ計測用の信号光及びエイミング光の進行方向を変更することができる。走査部（７１７）としては、例えば、ガルバノミラーを備えた公知の光走査装置を採用することができる。走査部（７１７）は、ＯＣＴ計測用の信号光及びエイミング光の進行方向をＸ、Ｙ平面上の任意の方向に走査することができる。
【００６４】
走査部（７１７）に出力されたＯＣＴ計測用の信号光及びエイミング光は、ビームスプリッタ（７１２）に出力される。ビームスプリッタ（７１２）を透過したＯＣＴ計測用の信号光及びエイミング光は、ＯＣＴ用対物レンズ（５０７）によって集光され、偏向部材（５０８）によって偏向され、被検眼（８）に照射される。
【００６５】
被検眼（８）に照射された後、被検眼（８）から反射されたＯＣＴ計測用の信号光は、偏向部材（５０８）によって偏向し、戻り光となる。被検眼（８）から反射されたＯＣＴ計測用の信号光は、ＯＣＴ用対物レンズ（５０７）を透過し、ビームスプリッタ（７１２）に照射される。
【００６６】
一方、被検眼（８）に照射された後に、被検眼（８）で散乱反射したエイミング光の一部は、偏向部材（５０８）へ戻らず、観察光学系の光軸（Ｏ−４００）に出射される。そして、エイミング光は、術者が接眼部を通じて観察することができ、また、撮像して表示画像とすることにより観察することができる。
【００６７】
ＯＣＴ走査中に、被検眼の固視微動や手術操作等により被検眼が動いてしまうと、ＯＣＴにより得られる断層像にズレが生じてしまうが、被検眼の動きをトラッキングして、その動きに合わせてＯＣＴを走査することにより、断層像のズレを防止することができる。トラッキングには、トラッキング用の光路と撮像素子（ＣＣＤイメージセンサ等）を用いて動画を取得し、動画の画像信号に基づきトラッキングを行うための演算処理を行って、これに基づきＯＣＴの信号光の走査を制御することにより行う。
図４に示されるように、トラッキング用の光路は、ビームスプリッタ（７１２）側から順に、フィルタ（７１３）、結像レンズ（７１４）、ＣＣＤイメージセンサ（７１５）から構成されている。本発明の眼科用顕微鏡（１）において、被検眼（８）を照明しつつ、ＣＣＤイメージセンサ（７１５）を用い、赤外光や可視光の一部や全域により撮影を行うことができる。
【００６８】
すなわち、第１の実施形態の眼科用顕微鏡（１）は、第１機能拡張ユニット（７１）のＣＣＤイメージセンサ（７１５）により得られた検出信号に基づいて、動画像を取得する。この動画像は、赤外光又は可視光を用いた動画撮影により取得される。
【００６９】
赤外光を用いた動画撮影を行う場合には、光源（９）を赤外領域の波長を含む光源とし、被検眼（８）を照明する。具体的にはハロゲンランプかキセノンランプなどを用いる。または、光源（９）内に可視のＬＥＤと赤外ＬＥＤを配置して個別、または同時に点灯するようにしても良い。
【００７０】
一方、可視光による動画撮影を行う場合には、観察用光源（９）からの可視光を被検眼（８）に照射し、この反射光を撮像する。
【００７１】
赤外光及び可視光を被検眼（８）に照射しつつ、赤外撮影を行う場合は、フィルタ（７１３）は、赤外光を透過し可視光を遮断させるフィルタとして機能する。ビームスプリッタ（７１２）により反射されたトラッキング用の光路を通過する光は、フィルタ（７１３）を透過して赤外光のみとなる。
赤外光のみを被検眼（８）に照射しつつ、赤外撮影を行う場合は、フィルタ（７１３）によるフィルタリングを必要としない。ビームスプリッタ（７１２）により分岐されたトラッキング用の光路を通過する光は、そのまま、ＣＣＤイメージセンサ（７１５）に入射される。
【００７２】
さらに、本発明の眼科用顕微鏡（１）において、可視光のみを被検眼（８）に照射しつつ、フィルタ（７１３）として可視光の内、一部の波長領域成分を遮断するフィルタを用い、可視光の内の特定の波長領域による撮影を行うことができる。エイミング光の波長を遮断する特性のフィルタを用いることにより、撮影される画像中にエイミングスポットが被ることを防止できる。さらに、本発明の眼科用顕微鏡（１）において、被検眼（８）の観察部位を考慮して、必要に応じて最適な波長帯の光を照射して、赤外撮影又は可視光による撮影を行うことができる。赤外撮影又は可視光撮影は、光源の切り替え、光源からの出力波長の切り替え、フィルタ（７１３）の切り替えによって行うことができる。第１機能拡張ユニット（７１）が備えているフィルタ（７１３）を透過した光は、ＯＣＴ用対物レンズ（５０７）によりＣＣＤイメージセンサ（７１５）の受光面に結像される。
【００７３】
演算制御部（７１６）は、ＣＣＤイメージセンサ（７１５）によって検出された光に基づいた画像信号を一定のフレームレートに対応した時間間隔において受信する。演算制御部（７１６）は、上記画像信号に基づいて、トラッキング制御を行うための演算処理を行う。さらに、演算制御部（７１６）は、時系列において取得された複数の観察画像について、所定の基準観察画像に対する他の観察画像の変位を求める。そして、演算制御部（７１６）は、算出された変位に基づいて制御信号を生成する。演算制御部（７１６）が生成した制御信号は、走査制御部（７１８）に出力される。なお、演算制御部（７１６）は、通信インターフェイス、ＦＰＧＡ（Field-Programmable Gate Array）、ＧＰＵ（Graphical Processor Unit）等を含んで構成されていてもよい。また、演算制御部（７１６）は、いわゆるＣＰＵ、ＲＡＭ、ＲＯＭ、ハードディスクドライブ、通信インターフェイス等を含んで構成されていてもよい。
【００７４】
走査制御部（７１８）は、演算制御部（７１６）から出力された制御信号に基づいて、ＯＣＴ計測用の信号光及びエイミング光の進行方向を変更することができる走査部（７１７）の走査位置を制御する。これにより、被検眼の微細な動きをトラッキングして、その動きに合わせてＯＣＴ計測用の信号光及びエイミング光を走査することが可能となる。
トラッキングは観察系に設けられたカメラユニット１１０３にて得られた画像情報を用いて行っても良い。
【００７５】
なお、第１機能拡張ユニット（７１）が備えている偏向部材５０８は、ＯＣＴ計測用の信号光を被検眼（８）の方向に偏向するとともに、ＯＣＴ計測用の信号光の被検眼（８）からの戻り光をＯＣＴ用対物レンズ（５０７）の方向に偏向する。第１機能拡張ユニット（７１）は、眼科用顕微鏡本体（６）の対物レンズ（２）下方に取り付けられているので、偏向部材（５０８）は、対物レンズ（２）と被検眼（８）との間に配置されることになる。
【００７６】
このように、第１機能拡張ユニット（７２）は、ＯＣＴ計測用の信号光の走査位置を識別可能とする目的で、当該信号光とともにエイミング光を被検眼（８）に照射することができる機能を備えている。エイミング光を被検眼（８）に照射することによって、術者が接眼部から眼を離すことなく、ＯＣＴ計測用の信号光の走査位置を識別することできる。可視光源ユニットの点滅と偏向部材の偏向角度を制御することにより、ＯＣＴスキャン範囲の外周や４隅のみでエイミング光が観察可能としても良い。
また、可視光源ユニットを点滅させることなく、可視光源ユニットから照射されるエイミング光の輝度を制御してもよい。さらに、プレスキャン時にエイミング光を点灯し、ＯＣＴの本測定時にはエイミング光を消灯してもよい。このように制御することにより、可視光を用いた場合であっても被検眼がエイミング光に追従して動いてしまうことを防止することができる。
【００７７】
図５は、第１の実施形態の眼科用顕微鏡で用いられるＯＣＴユニット（１０）の光学構成を模式的に示す図面である。なお、図５に示されたＯＣＴユニット（１０）は、機能拡張ユニット（７）の外部に接続されたユニットであり、第２拡張ユニットに格納されたユニットではないので、ＯＣＴユニット（１０）として扱う。
図５に示されるように、ＯＣＴユニット（１０）は、ＯＣＴ光源ユニット（１００１）からＯＣＴ計測用の信号光（Ｌ０）を信号光（ＬＳ）と参照光（ＬＲ）に分割し、別の光路を経た信号光（ＬＳ）と参照光（ＬＲ）の干渉を検出する干渉計を構成している。
ＯＣＴ光源ユニット（１００１）は、一般的なスウェプトソースタイプのＯＣＴ装置と同様に、出射光の波長を走査（掃引）可能な波長走査型（波長掃引型）光源を含んで構成される。ＯＣＴ光源ユニット（１００１）は、人の眼では視認できない近赤外の波長において、出力波長を時間的に変化させる。ＯＣＴ光源ユニット（１００１）から出射された光を符号（Ｌ０）で示す。
【００７８】
ＯＣＴ光源ユニット（１００１）から出射されたＯＣＴ計測用の信号光（Ｌ０）は、光ファイバ（１００２）により偏波コントローラ（１００３）に導かれて、その偏光状態が調整される。偏波コントローラ（１００３）は、たとえば、ループ状にされた光ファイバ（１００２）に対して外部から応力を与えることで、光ファイバ（１００２）内を導かれる光（Ｌ０）の偏光状態を調整する。
偏波コントローラ（１００３）により偏光状態が調整された光Ｌ０は、光ファイバ（１００４）によりファイバカプラ（１００５）に導かれて信号光（ＬＳ）と参照光（ＬＲ）とに分割される。
【００７９】
図５に示されるように、参照光（ＬＲ）は、光ファイバ（１００６）によりコリメータ（１００７）に導かれて平行光束となる。平行光束となった参照光ＬＲは、光路長補正部材（１００８）及び分散補償部材（１００９）を経由し、コーナーキューブ（１０１０）に導かれる。光路長補正部材（１００８）は、参照光（ＬＲ）と信号光（ＬＳ）の光路長（光学距離）を合わせるための遅延手段として作用する。分散補償部材（１００９）は、参照光（ＬＲ）と信号光（ＬＳ）の分散特性を合わせるための分散補償手段として作用する。
コーナーキューブ（１０１０）は、コリメータ（１００７）により平行光束となった参照光（ＬＲ）の進行方向を逆方向に折り返す。コーナーキューブ（１０１０）に入射する参照光（ＬＲ）の光路と、コーナーキューブ（１０１０）から出射する参照光（ＬＲ）の光路とは平行である。また、コーナーキューブ（１０１０）は、参照光（ＬＲ）の入射光路及び出射光路に沿う方向に移動可能とされている。この移動により参照光（ＬＲ）の光路（参照光路）の長さが変更される。
【００８０】
図５に示されるように、コーナーキューブ（１０１０）を経由した参照光（ＬＲ）は、分散補償部材（１００９）及び光路長補正部材（１００８）を経由し、コリメータ（１０１１）によって平行光束から集束光束に変換されて光ファイバ（１０１２）に入射し、偏波コントローラ（１０１３）に導かれて参照光（ＬＲ）の偏光状態が調整される。
偏波コントローラ（１０１３）は、例えば、偏波コントローラ（１００３）と同様の構成を有する。偏波コントローラ（１０１３）により偏光状態が調整された参照光ＬＲは、光ファイバ（１０１４）によりアッテネータ（１０１５）に導かれて、演算制御ユニット（１２）の制御の下で光量が調整される。アッテネータ（１０１５）により光量が調整された参照光（ＬＲ）は、光ファイバ（１０１６）によりファイバカプラ（１０１７）に導かれる。
【００８１】
図２と図５から把握できるように、ファイバカプラ（１００５）により生成された信号光（ＬＳ）は、光ファイバ（５０１）によりコリメートレンズ（７２６）に導かれる。図２に示されるように、コリメートレンズ（７２６）に入射した信号光（ＬＳ）は、光スキャナ（５０３ａ，５０３ｂ）、リレー光学系（５０４）、第１レンズ群（５０５）、第２レンズ群（５０６）、及びＯＣＴ用対物レンズ（５０７）を経由して、被検眼（８）に照射される。
【００８２】
信号光（ＬＳ）は、被検眼（８）の様々な深さ位置において反射・散乱される。被検眼（８）により信号光の後方散乱光は、往路と同じ経路を逆向きに進行して、図５に示されるように、ファイバカプラ（１００５）に導かれ、光ファイバ（１０１８）を経由してファイバカプラ（１０１７）に到達する。
【００８３】
ファイバカプラ（１０１７）は、光ファイバ（１０１８）を介して入射された信号光（ＬＳ）と、光ファイバ（１０１６）を介して入射された参照光（ＬＲ）とを合成して（干渉させて）干渉光を生成する。ファイバカプラ（１０１７）は、所定の分岐比（例えば５０：５０）で、信号光（ＬＳ）と参照光（ＬＲ）との干渉光を分岐することにより、一対の干渉光（ＬＣ）を生成する。ファイバカプラ（１０１７）から出射した一対の干渉光（ＬＣ）は、それぞれ２つの光ファイバ（１０１９，１０２０）により検出器（１０２１）に導かれる。
【００８４】
検出器（１０２１）は、例えば、一対の干渉光（ＬＣ）をそれぞれ検出する一対のフォトディテクタを有し、これらにより検出結果の差分を出力するバランスドフォトダイオード（Balanced Photo Diode：以下、「ＢＰＤ」という）である。検出器（１０２１）は、その検出結果（検出信号）を演算制御ユニット（７２２）に送る。演算制御ユニット（７２２）は、例えば、一連の波長走査毎に（Ａライン毎に）、検出器（１０２１）により得られた検出結果に基づくスペクトル分布にフーリエ変換等を施すことで断面像を形成する。演算制御ユニット（７２２）は、形成された画像を表示部（２０）に表示させる。
【００８５】
この実施形態では、マイケルソン型の干渉計を採用しているが、例えば、マッハツェンダー型等の任意のタイプの干渉計を適宜に採用することが可能である。
【００８６】
１−３．  対物レンズの形状
従来の眼科用顕微鏡に使用する対物レンズとしては、対物レンズの平面形状が円形である対物レンズが使用されている。
しかしながら、本発明においては、ＯＣＴ光学系の光軸と、観察光学系の光軸との成す角度を小さくすることが好ましく、そのためには、円形レンズの部分形状、又は円形レンズに切り欠き若しくは穴を設けた形状を有する対物レンズを用いる。
さらに、本発明においては、眼科用顕微鏡本体が備えている対物レンズと被検眼との間、特に対物レンズの下方にＯＣＴ光学系を備えた機能拡張ユニットを配置するため、対物レンズにおいてＯＣＴ光学系の光軸が透過する部分は必要なく、当該部分を切断して除くことにより、対物レンズを円形レンズの部分形状とすることが好ましい。これにより、対物レンズの側方にも、ＯＣＴ光学系等を配置するスペースを確保することが可能となる。
【００８７】
本発明において「円形レンズの部分形状」とは、レンズの光軸方向から平面視した場合に円形のレンズの一部を切り取った形状をいい、これらに限定されるわけではないが、例えば、左眼用観察光学系の光路と右眼用観察光学系の光路が透過するように、半円状、扇形状、矩形状等に切り取った形状のレンズを使用することができる。
【００８８】
また、本発明において、「円形レンズに切り欠き若しくは穴を設けた形状」とは、レンズの光軸方向から平面視した場合に、切り欠きや穴が設けられている形状をいい、これらに限定されるわけではないが、例えば、ＯＣＴ光学系の光路が透過する部分に切り欠きや穴を設けた形状のレンズを使用することができる。
【００８９】
このような形状のレンズを用いて、円形レンズにおいて切り取られたレンズが存在しない部分、又はレンズに設けられた切り欠きを、ＯＣＴ光学系の光路が通過することができる。これにより、ＯＣＴ光学系の光軸が対物レンズを透過することなく、ＯＣＴ光学系と観察光学系の間隔を小さくすることができる。また変更部材を対物レンズ下の光軸上に配置することで、ＯＣＴ光学系との光軸と観察光学系の光軸とのなす角度を小さくすることができる。
本発明においては、ＯＣＴ光学系の光軸と、観察光学系の光軸（左右の観察光路の光軸のいずれか）とのなす角度を１〜１５°とすることが好ましく、より好ましくは、４〜１０°とするのがよく、さらに好ましくは６〜８°とするのがよい。
【００９０】
図６は、第１の実施形態の眼科用顕微鏡で使用する対物レンズの形状を示す模式図である。図６（Ａ）は、対物レンズの光軸の方向から見た図であり、図６（Ｂ）は、側面から見た図である。
【００９１】
図６（Ａ）に示されるように、第１の実施形態で使用する対物レンズ（２）は、円形レンズの一部を切り取った部分形状をしており、左眼用観察光学系の光路（Ｐ−４００Ｌ）、右眼用観察光学系の光路（Ｐ−４００Ｒ）、及び照明光学系の光路（Ｐ−３００）が、それぞれ対物レンズ（２）の異なる箇所を透過している。そして、対物レンズ（２）の下方でＯＣＴ光学系の光路（Ｐ−５００）は偏向部材(５０８)により対物レンズ（２）の光軸と一致する。
また、図６（Ｂ）に示されるように、対物レンズ（２）の側面形状は、凸レンズの一部を切り取った部分形状となっている。
【００９２】
図２に示されるように、第１の実施形態の眼科用顕微鏡においては、顕微鏡本体（６）の内部に収納された対物レンズが、図６に示す形状を有する対物レンズ（２）に交換されている。
【００９３】
第１の実施形態においては、観察光学系の光軸が透過する対物レンズを、ＯＣＴ光学系の光軸が透過せず、観察光学系とＯＣＴ光学系を独立させることができるので、光学設計の自由度が高まる。また、対物レンズとして、円形レンズの部分形状であるレンズを使用しているので、対物レンズの側方にＯＣＴ光学系等を配置するスペースを確保することができる。
【００９４】
１−４．  第２の実施形態
本発明の眼科用顕微鏡の他の一例である第２の実施形態において使用される対物レンズの形状を、図７に示す。図７（Ａ）は、対物レンズの光軸の方向から見た図であり、図７（Ｂ）は、側面から見た図である。
図７（Ａ）に示されるように、第２の実施形態で使用する対物レンズ（２）は、円形レンズの一部に切り欠きを設けた形状をしている。ＯＣＴ光学系の光路（Ｐ−５００）は対物レンズ（２）の下方で偏向部材(５０８)により対物レンズ（２）の光軸と一致する。そして、その切り欠き部分に機能拡張ユニットの一部が入り込むように装着される。
【００９５】
１−５．  第３の実施形態
本発明の眼科用顕微鏡の他の一例である第３の実施形態において使用される対物レンズの形状を、図８に示す。図８（Ａ）は、対物レンズの光軸の方向から見た図であり、図８（Ｂ）は、側面から見た図である。
図８（Ａ）に示されるように、第３の実施形態で使用する対物レンズ（２）は、円形レンズの一部を矩形状に切り取った形をしており、左眼用観察光学系の光路（Ｐ−４００Ｌ）と右眼用観察光学系の光路（Ｐ−４００Ｒ）が、それぞれ対物レンズ（２）の異なる箇所を透過している。そして、ＯＣＴ光学系の光路（Ｐ−５００）は対物レンズ（２）の下方で偏向部材(５０８)により対物レンズ（２）の光軸と一致する。
また、図８（Ｂ）に示されるように、対物レンズ（２）の側面形状は、凸レンズの一部を切り取った部分形状となっている。
【００９６】
１−６．  第４の実施形態
本発明の眼科用顕微鏡の他の一例である第４の実施形態において使用される対物レンズの形状を、図９に示す。図９（Ａ）は、対物レンズの光軸の方向から見た図であり、図９（Ｂ）は、側面から見た図である。
図９（Ａ）に示されるように、第４の実施形態で使用する対物レンズ（２）は、円形レンズの一部を半円状に切り取った形をしており、左眼用観察光学系の光路（Ｐ−４００Ｌ）、右眼用観察光学系の光路（Ｐ−４００Ｒ）、及び照明光学系の光路（Ｐ−３００）が、それぞれ対物レンズ（２）の異なる箇所を透過している。そして、ＯＣＴ光学系の光路（Ｐ−５００）は対物レンズ（２）の下方で偏向部材(５０８)により対物レンズ（２）の光軸と一致する。
また、図９（Ｂ）に示されるように、対物レンズ（２）の側面形状は、凸レンズの一部を切り取った部分形状となっている。
【００９７】
１−７．  第５の実施形態
本発明の眼科用顕微鏡の他の一例である第５の実施形態において使用される対物レンズの形状を、図１０に示す。図１０（Ａ）は、対物レンズの光軸の方向から見た図であり、図１０（Ｂ）は、側面から見た図である。
【００９８】
図１０（Ａ）に示されるように、第５の実施形態で使用する対物レンズ（２）は、円形レンズの一部を三日月状に切り取った形をしており、左眼用観察光学系の光路（Ｐ−４００Ｌ）、右眼用観察光学系の光路（Ｐ−４００Ｒ）、及び照明光学系の光路（Ｐ−３００）が、それぞれ対物レンズ（２）の異なる箇所を透過している。そして、ＯＣＴ光学系の光路（Ｐ−５００）は対物レンズ（２）の下方で偏向部材(５０８)により対物レンズ（２）の光軸と一致する。
また、図１０（Ｂ）に示されるように、対物レンズ（２）の側面形状は、凸レンズの一部を切り取った部分形状となっている。
【００９９】
２．  機能拡張ユニット
本発明の機能拡張ユニットは、眼科用顕微鏡に着脱可能で、ＯＣＴの機能を眼科用顕微鏡に付加することができるものである。
本発明の機能拡張ユニットは、被検眼を照明する照明光学系と、前記照明光学系で照明された被検眼を観察するための左眼用観察光学系と右眼用観察光学系を有する観察光学系と、前記観察光学系の前記左眼用観察光学系の光軸と前記右眼用観察光学系の光軸が共通して透過する対物レンズとを備えた眼科用顕微鏡本体に使用する機能拡張ユニットであり、前記眼科用顕微鏡本体に対して着脱可能なジョイント部と、光コヒーレンストモグラフィにより前記被検眼を検査するためのＯＣＴ光学系と、前記ＯＣＴ光学系の信号光を前記被検眼の方向に偏向するための偏向部材を格納しており、前記機能拡張ユニットを前記眼科用顕微鏡本体に前記ジョイント部を介して装着した場合に、前記偏向部材が前記対物レンズの光軸と交差した位置に取り付けられることを特徴とする。
そして、本発明の機能拡張ユニットは、前記眼科用顕微鏡に対して着脱可能なジョイント部と、光コヒーレンストモグラフィにより前記被検眼を検査するためのＯＣＴ光学系とを有し、前記機能拡張ユニットを前記ジョイント部を介して、前記眼科用顕微鏡本体が備えている対物レンズと被検眼との間、特に対物レンズの下方に装着することができ、眼科用顕微鏡本体の下方のスペースが拡張されている点に技術的特徴を有している。
【０１００】
本発明の機能拡張ユニットのＯＣＴ光学系は、眼科用顕微鏡の観察光学系と独立しており、ユニット化が可能になるとともに、光学設計の自由度が高まるという効果を奏する。また、本発明の機能拡張ユニットは、ジョイント部を介して眼科用顕微鏡に着脱可能であるため、簡便にＯＣＴの機能を眼科用顕微鏡に追加することができるという効果を奏する。
【０１０１】
本発明の機能拡張ユニットの「ジョイント部」とは、機能拡張ユニットと、眼科用顕微鏡を着脱可能とするものであれば、特に限定されず、これらに限定されるわけではないが、例えば、嵌め合わせにより連結するジョイント部や、ネジを用いて連結するジョイント部とすることができる。
【０１０２】
本発明の機能拡張ユニットの具体例は、第１の実施形態の眼科用顕微鏡及び第２の実施形態の眼科用顕微鏡において、機能拡張ユニット（図２及び３の符号７で示される一点鎖線で囲まれる部分）として記載されているとおりである。
【産業上の利用可能性】
【０１０３】
本発明の眼科用顕微鏡、及び機能拡張ユニットは、眼科用の医療機器を製造する産業において有用である。
【符号の説明】
【０１０４】
図１〜１０で使用した符号が指し示すものは、以下のとおりである。
１          眼科用顕微鏡
２          対物レンズ
３          脚部
４          支柱
５１        第１アーム部
５２        第２アーム部
６          眼科用顕微鏡本体
７          機能拡張ユニット
８          被検眼
９          照明光源
１０        ＯＣＴユニット
１１        Ｘ−Ｙ微動装置
１２        接眼部
１３        インバーター
１４        鏡筒部
１５        助手用顕微鏡
１６        前置レンズ位置調整機構
１７        保持アーム
１８        前置レンズ
１９        フットスイッチ
２０        表示部（ＯＣＴ系モニタ）
７１        第１機能拡張ユニット
７１２      ビームスプリッタ
７１３      フィルタ
７１４      結像レンズ
７１５      ＣＣＤイメージセンサ
７１６      演算制御部
７１７      走査部
７１８      走査制御部
７１９      合成部，ファイバカプラ
７２        第２機能拡張ユニット
７２２      演算制御ユニット
７２３      可視光源ユニット
７２４      光ファイバ
７２５      光ファイバ
７２６      コリメートレンズ
７２７      照明野絞り
７３        術中観察用モニタ
１００１    ＯＣＴ光源ユニット
１００２    光ファイバ
１００３    偏波コントローラ
１００４    光ファイバ
１００５    ファイバカプラ
１００６    光ファイバ
１００７    コリメータ
１００８    光路長補正部材
１００９    分散補償部材
１０１０    コーナーキューブ
１０１１    コリメータ
１０１２    光ファイバ
１０１３    偏波コントローラ
１０１４    光ファイバ
１０１５    アッテネータ
１０１６    光ファイバ
１０１７    ファイバカプラ
１０１８    光ファイバ
１０１９    光ファイバ
１０２０    光ファイバ
１０２１    検出器
１１０１    結像レンズ
１１０２    反射ミラー
１１０３    テレビカメラ
１１０３ａ  撮像素子
３００      照明光学系
３０１      光ファイバ
３０２      出射光絞り
３０３      コンデンサレンズ
３０４      照明野絞り
３０５      コリメートレンズ
３０６      反射ミラー
４００      観察光学系
４００Ｌ    左眼用の観察光学系
４００Ｒ    右眼用の観察光学系
４００Ｓ    副観察光学系
４０１      変倍レンズ系
４０１ａ，４０１ｂ，４０１ｃ    ズームレンズ
４０２        ビームスプリッタ
４０３        結像レンズ
４０４        像正立プリズム
４０５        眼幅調整プリズム
４０６        視野絞り
４０７        接眼レンズ
４０８        プリズム
４０８ａ      プリズムの反射面
４０９        結像レンズ
４１０        反射ミラー
４１１        助手用接眼レンズ
５００        ＯＣＴ光学系
５０１        光ファイバ
５０３ａ      光スキャナ
５０３ｂ      光スキャナ
５０４        リレー光学系
５０５        第１レンズ群
５０６        第２レンズ群
５０７        ＯＣＴ用対物レンズ
５０８        偏向部材
Ｏ            対物レンズの光軸
Ｏ−３００    照明光学系の光軸
Ｏ−４００    観察光学系の光軸
Ｏ−４００Ｌ  左眼用観察光学系の光軸
Ｏ−４００Ｒ  右眼用観察光学系の光軸
Ｏ−４００Ｓ  副観察光学系の光軸
Ｏ−５００    ＯＣＴ光学系の光軸
Ｐ−３００    照明光学系の光路
Ｐ−４００Ｌ  左眼用観察光学系の光路
Ｐ−４００Ｒ  右眼用観察光学系の光路
Ｐ−５００    ＯＣＴ光学系の光路
Ｌ０          ＯＣＴ光源ユニットから出力された光
ＬＣ          干渉光
ＬＳ          信号光
ＬＲ          参照光
Ｕ０          前側焦点位置
【図１】
0006989228.tif 000002
【図２】
0006989228.tif 000003
【図３】
0006989228.tif 000004
【図４】
0006989228.tif 000005
【図５】
0006989228.tif 000006
【図６】
0006989228.tif 000007
【図７】
0006989228.tif 000008
【図８】
0006989228.tif 000009
【図９】
0006989228.tif 000010
【図１０】
0006989228.tif 000011
【図１１】
0006989228.tif 000012
【図１２】
0006989228.tif 000013
【図１３】
0006989228.tif 000014